(57)【要約】【課題】  暗号化機能を有するＩＰ電話機同士が、呼制御サーバを経由することなく暗号通信に切り替えができるようにする。【解決手段】  暗号通信を行う際に、受信側のＩＰ電話機に予め設定された暗号通信要求音を出力する可聴音送出部と、暗号通信要求音の受信を監視して、当該暗号通信要求音を検出した際には切替信号を出力する可聴音検出部と、ユーザからの暗号通信切り替えを示す暗号化要求及び切替信号を受信すると、識別信号や暗号鍵を音声データとして受信した際に該暗号鍵のデータによる音が受話器から出力されないように回路を切替えて暗号化鍵の共有化を行うと共に該共有化した暗号鍵を用いて暗号処理を行う暗号処理ユニットと、を備える。【選択図】      図１
2014165795.tif 000002
【特許請求の範囲】
【請求項１】
ネットワークに接続されて暗号通信を行うＩＰ電話機であって、
暗号通信を行う際に、受信側のＩＰ電話機に予め設定された暗号通信要求音を出力する可聴音送出部と、
前記暗号通信要求音の受信を監視して、当該暗号通信要求音を検出した際には切替信号を出力する可聴音検出部と、
ユーザからの暗号鍵の共有化を示す暗号化要求及び前記切替信号を受信すると、識別情報または暗号鍵を音声データとして受信した際に該暗号鍵のデータによる音が受話器から出力されないように回路を切替えて暗号化鍵の共有化を行うと共に該共有化した前記暗号鍵を用いて暗号処理を行う暗号処理ユニットと、を備えることを特徴とするＩＰ電話機。
【請求項２】
請求項１に記載のＩＰ電話機であって、
前記暗号処理ユニットは、前記切替信号を受信すると当該暗号処理ユニットにおける処理が実行される暗号モードに切替えるスイッチ部と、
前記暗号通信要求音に対して暗号通信に応じることを通知する暗号応答部と、
暗号通信の際に用いる暗号鍵を共有化するために、当該暗号鍵の情報を送出する暗号鍵出力部と、
共有化した前記暗号鍵を用いて送受信データの暗号化及び復号化を行う暗号処理部と、
を備えることを特徴とするＩＰ電話機。
【請求項３】
請求項１又は２に記載のＩＰ電話機であって、
前記音号通信要求音は、音声パケットとして送信することを特徴とすることを特徴とするＩＰ電話機。
【請求項４】
請求項１乃至３のいずれか１項に記載のＩＰ電話機であって、
前記音号通信要求音は、単一周波数の音、音声ガイダンス、ＤＴＭＦトーン、音楽、メロディのいずれか１つまたは複数の手段を組み合わせることを特徴とするＩＰ電話機。
【請求項５】
ネットワークに接続されたＩＰ電話機が暗号通信と通常通信を切り替える方法であって、
暗号通信を行う際に、受信側のＩＰ電話機に予め設定された暗号通信要求音を出力する可聴音送出手順と、
前記暗号通信要求音の受信を監視して、当該暗号通信要求音を検出した際には切替信号を出力する可聴音検出手順と、
ユーザからの暗号鍵の共有化を示す暗号化要求及び前記切替信号を受信する手順と、
送信側のＩＰ電話機から暗号鍵を音声データとして受信した際に該暗号鍵のデータによる音が受信側の受話器から出力されないように当該受信側の受信回路を切替えて暗号化鍵の共有化を行う手順と、
共有化した前記暗号鍵を用いて暗号処理を行う暗号処理を行う手順と、
を含むことを特徴とする通信方式切り替え方法。
【請求項６】
請求項５に記載の通信方式切り替え方法であって、
前記音号通信要求音は、音声パケットとして送信することを特徴とすることを特徴とする通信方式切り替え方法。
【請求項７】
請求項５又は６に記載の通信方式切り替え方法であって、
前記音号通信要求音は、単一周波数の音、音声ガイダンス、ＤＴＭＦトーン、音楽、メロディのいずれか１つであることを特徴とする通信方式切り替え方法。
【発明の詳細な説明】
【技術分野】
【０００１】
本発明は、ＩＰ電話機及び通信方式切り替え方法に関する。
【背景技術】
【０００２】
近年、普及しているＩＰ（Ｉｎｔｅｒｎｅｔ  Ｐｒｏｔｏｃｏｌ）電話システムは、ＩＰ方式に従い通信するＩＰ電話機及びＩＰ電話機を介した通信を管理する呼制御サーバを備えている。
【０００３】
このＩＰ電話システムにおいて通話を暗号化して通信するには、送信側のＩＰ電話機が音声やデータ等の通信情報を暗号化して送信する暗号化機能を有し、受信側のＩＰ電話機が復号化する暗号化機能を有することが必要である。さらに、通信する送信側及び受信側のＩＰ電話機で、暗号化のための鍵情報を保持する必要がある。
【０００４】
一般に、通信相手のＩＰ電話機が暗号機能を有しているか否かの識別、及び、鍵情報を保持しているか否かの識別は、呼制御サーバを経由させる方法が採用されている。呼制御サーバは、ＳＩＰ（Ｓｅｓｓｉｏｎ  Ｉｎｉｔｉａｔｉｏｎ  Ｐｒｏｔｏｃｏｌ）方式に従い、ＳＤＰ（Ｓｅｓｓｉｏｎ  Ｄｅｓｃｒｉｐｔｉｏｎ  Ｐｒｏｔｏｃｏｌ）に識別情報を格納して、通信相手側のＩＰ電話機に伝送する。なお、鍵情報については、識別だけでなく、呼制御サーバを経由して、送信側及び受信側の双方のＩＰ電話機で鍵情報を共有する場合もある。このように通信相手側のＩＰ電話機に暗号機能があることが識別でき、鍵情報が設定されていることを識別して、暗号通信に切り替えるということがなされている。
【０００５】
しかし、この方法を実現するためには、呼制御サーバがＩＰ電話機の暗号機能の有無の識別情報の伝送機能、及び暗号鍵の設定有無の識別情報の伝送機能、あるいは、暗号鍵の共有機能に対応していることが前提となる。従って、呼制御サーバがＩＰ電話機の暗号機能の有無に関する識別情報の伝送機能を持たない場合、暗号鍵の有無に関する識別情報の伝送機能を持たない場合、暗号機能の共有機能を持たない場合には、送信側及び受信側のＩＰ電話機が暗号機能を備えていても、暗号化通信は行えない。また、呼制御サーバが、電話機の暗号機能の有無の識別情報の伝送機能、鍵情報の有無の伝送機能、及び鍵情報の共有機能に対応していたとしても、伝送できるデータ長や形式に制限がある場合もある。このような場合には、必要な暗号強度（破られにくい暗号）での暗号通信を実現することができない。
【０００６】
そこで、ＦＴＰ（Ｆｉｌｅ  Ｔｒａｎｓｆｅｒ  Ｐｒｏｔｏｃｏｌ）等のプロトコルに従いＩＰ電話機同士が暗号機能の有無を識別し、暗号鍵を直接共有化する方法が考えられる。
【０００７】
ところが、ＩＰ電話システムでは、外部からのシステム侵入を防御するためにファイヤウォール等のセキュリティが設けられていることが多く、この場合には呼制御サーバにより許可された通信のみしか行えない（特許文献１参照）。
【０００８】
従って、セキュリティが設けられたＩＰ電話システムでは、呼制御サーバが管理する音声通信しか許可されないため、ＦＴＰ等のプロトコルに従いＩＰ電話機同士が直接通信することができない。
【０００９】
このような場合、ＶｏＩＰの音声パケットに、暗号機能の有無に関する識別情報、暗号鍵の有無に関する識別情報、及び暗号鍵の共有情報を格納し、送受信する方法が考えられる。しかし、受信側のＩＰ電話機に暗号機能がない場合には、識別情報等を音声信号として処理してしまう。識別信号は音声信号ではないため、音声信号として処理されるとノイズとして出力されてしまう。
【先行技術文献】
【特許文献】
【００１０】
【特許文献１】特開２００６−５０２５０号公報
【発明の概要】
【発明が解決しようとする課題】
【００１１】
呼制御サーバに暗号対応機能が無く、さらに、呼制御サーバが許可したＶｏＩＰパケットしか通信できないＩＰ電話システムにおいては、暗号機能が有るＩＰ電話機と、暗号機能が無いＩＰ電話機が混在し、暗号機能があるＩＰ電話機と、暗号機能が無いＩＰ電話機が通信しようとすると、暗号機能が無いＩＰ電話機にてノイズの発生してしまう課題がある。
【００１２】
そこで、本発明の主目的は、呼制御サーバに暗号対応機能がなく、呼制御サーバに許可されたＶｏＩＰ通信しかできないＩＰ電話システムに、暗号機能があるＩＰ電話機と暗号機能が無いＩＰ電話機が混在しても、暗号機能が無いＩＰ電話機でノイズ等を発生させることなく、暗号通信と一般通信とを切り替えられるＩＰ電話機及び通信方式切り替え方法を提供することである。
【課題を解決するための手段】
【００１３】
上記課題を解決するため、ネットワークに接続されて暗号通信を行うＩＰ電話機にかかる発明は、暗号通信を行う際に、通信相手側にＩＰ電話機に予め設定された暗号通信要求音を出力する可聴音送出部と、暗号通信要求音の受信を監視して、当該暗号通信要求音を検出した際には切替信号を出力する可聴音検出部と、ユーザからの暗号化通信要求及び切替信号を受信すると、暗号機能の有無の識別信号、暗号鍵の有無の識別信号、及び暗号鍵の共有情報を音声データとして受信した際に識別情報等のデータによる音が受話器から出力されないように回路を切替えて暗号機能の有無を識別し、暗号鍵の有無を識別し、また、暗号化鍵の共有情報を受信した際には暗号化鍵の共有化を行うと共に暗号鍵を用いて暗号処理を行う暗号処理ユニットと、を備えることを特徴とする。
【００１４】
また、ネットワークに接続されたＩＰ電話機が暗号化通信に切り替える方法にかかわる発明は、ネットワークに接続されたＩＰ電話機が通信を暗号通信に切り替える方法であって、暗号通信を行う際に、通信相手側のＩＰ電話機に予め設定された暗号通信要求音を出力する可聴音送出手順と、暗号通信要求音の受信を監視して、当該暗号通信要求音を検出した際には切替信号を出力する可聴音検出手順と、ユーザからの暗号通信の開始を示す暗号化要求及び切替信号を受信する手順と、通信相手側のＩＰ電話機から暗号通信要求音を音声データとして受信した際に暗号機能の有無の識別情報、暗号鍵の有無の識別情報、あるいは、暗号鍵の共有情報のデータによる音が受信側の受話器から出力されないように当該受信側の受信回路を切替えて、暗号機能があるＩＰ電話機とは暗号通信を開始する手順と、暗号機能がないＩＰ電話機とは（暗号通信でない）一般通信を開始する手順と、暗号鍵の共有情報を受信した際には暗号鍵共有処理を開始する手順と、含むことを特徴とする。
【発明の効果】
【００１５】
本発明によれば、暗号機能の有無の識別情報、暗号鍵の有無の識別情報、あるいは暗号鍵の共有情報を音声データとして送信し、かつ、この識別情報及び暗号鍵共有情報による音声が受話器から出力されないようにしたので、暗号機能が有るＩＰ電話機と暗号機能が無いＩＰ電話機が混在するＩＰ電話システムであっても、暗号機能がないＩＰ電話機にてノイズを発生させることなく、暗号通信と一般通信との切り替えを、呼制御サーバを経由することなく実現できるようになる。
【図面の簡単な説明】
【００１６】
【図１】本発明にかかるＩＰ電話システムの構成図である。
【図２】ＩＰ電話機における通信手順を示すフローチャートである。
【図３】予め鍵情報が設定されている場合等における通信手順を示すフローチャートである。
【図４】予め暗号鍵が設定されていない場合等における通信手順を示すフローチャートである。
【発明を実施するための形態】
【００１７】
本発明の第１実施形態を説明する。図１は、本発明にかかるＩＰ電話機が接続されたＩＰ電話システムの構成図である。なお、図１においては、ＩＰネットワーク等のネットワーク２０にＩＰ電話機２Ａ（２）とＩＰ電話機２Ｂ（２）との２台のＩＰ電話機が接続されている場合を示しているが、台数は例示であることを敢て付言する。
【００１８】
ＩＰ電話機２は、受話器１１（１１Ａ，１１Ｂ）、デジタルアナログ変換器１２（１２Ａ，１２Ｂ）、暗号処理ユニット１３（１３Ａ、１３Ｂ）、可聴音検出部１７（１７Ａ、１７Ｂ）、可聴音送出部１６（１６Ａ、１６Ｂ）、ＩＰ−ＩＦ部１８（１８Ａ、１８Ｂ）等を主要構成とする。
【００１９】
また、暗号処理ユニット１３は、スイッチ部２１（２１Ａ，２１Ｂ）、暗号応答部２２（２２Ａ，２２Ｂ）、暗号鍵出力部２３（２３Ａ、２３Ｂ）、暗号処理部２４（２４Ａ，２４Ｂ）、を備える。
【００２０】
ＩＰ電話機２ＡとＩＰ電話機２Ｂとは同じ構成であるので、以下の説明においては、ＩＰ電話機２Ａを送信側電話機、ＩＰ電話機２Ｂを受信側電話機と記載し、構成及び動作については単にＩＰ電話機２のように総括番号を用いて記載する場合がある。
【００２１】
受話器１１は、音声入力や音声出力に用いるマイクとスピーカとの組合わせ物やハンドセットである。
【００２２】
デジタルアナログ変換器１２は、信号形式（デジタル／アナログ）を変換する。即ち、受話器１１からのアナログの音声信号をディジタル信号に変換してＩＰ−ＩＦ部１８側に出力し、またＩＰ−ＩＦ部１８側からのディジタル信号をアナログ信号に変換して受話器１１に出力する処理を行う。
【００２３】
可聴音送出部１６は、暗号通信を行う場合に、受信側電話機２Ｂに暗号通信要求音を出力する処理を行う。
【００２４】
可聴音検出部１７は、受信側電話機２Ｂからの通信信号に、予め設定された音声信号（暗号通信要求音）が含まれているか否かを検出して、当該暗号通信要求音が含まれている場合には、暗号処理ユニット１３に切替信号Ｇ２を出力する。
【００２５】
暗号処理ユニット１３のスイッチ部２１は、可聴音検出部１７からの切替信号Ｇ２に基づき同期動作する２つのスイッチを備え、通信信号が暗号応答部２２、暗号鍵出力部２３、暗号処理部２４を経由するか否かの切替を行う。通信信号が暗号応答部２２、暗号鍵出力部２３、暗号処理部２４を経由するモードが暗号モードである。
【００２６】
暗号応答部２２は、暗号通信要求に対して暗号通信に応じる場合に、暗号機能の有無の識別応答信号を出力する。
【００２７】
暗号鍵出力部２３は、暗号通信に用いる暗号鍵を出力して暗号鍵の共有化を行う。なお、既に暗号鍵の共有化が行われている場合には、暗号鍵を出力は行われない。
【００２８】
暗号処理部２４は、共有化した暗号鍵を用いて送受信する通信データの暗号化・復号化処理を行う。
【００２９】
ＩＰ−ＩＦ変換部１８は、ネットワーク２０とのインタフェースを行い、ＩＰパケットの送受信を行う。
【００３０】
次に、このような構成のＩＰ電話機２における通信手順を図２に示すフローチャートを参照して説明する。
【００３１】
ステップＳＡ１：  先ず、送信側電話機２Ａが受信側電話機２Ｂを呼出す。この呼出しに応じて受信側電話機２Ｂが応答すると回線が確立する。
【００３２】
ステップＳＡ２〜ＳＡ３：  送信側電話機２Ａと受信側電話機２Ｂとの間で回線接続が確立すると、あるいは、（通常モードでの）一般通話後に暗号化の切り替え操作等の制御がされると、暗号化要求Ｇ１が暗号処理ユニット１３Ａ及び可聴音送出部１６Ａに入力する。
【００３３】
この暗号化要求Ｇ１は、回線接続後自動で出力されるか、あるいは、送信側電話機２Ａ及び受信側電話機２Ｂに設けられているファンクションキーやテンキー等の所定のキーを押圧等することにより出力される。
即ち、送信側電話機２Ａのユーザが暗号通信を希望する場合や受信側電話機２Ｂが暗号通信に応じる場合には、上記キーを押圧することで、暗号化要求Ｇ１が暗号処理ユニット１３Ａ及び可聴音送出部１６に出力される。無論、かかる処理を送信側電話機２Ａ及び受信側電話機２Ｂの図示しない制御部が行ってもよい。
【００３４】
ステップＳＡ４：  可聴音送出部１６Ａは暗号化要求Ｇ１を受信すると、所定の可聴音である暗号通信要求音を送出する。その後、送信側電話機２Ａは、通信モードを暗号モードに切替えて、受信側電話機２Ｂからの応答待ち状態に移行する。この暗号モードとは、通信信号が暗号処理ユニット１３を経由するモードである。
【００３５】
なお、暗号通信要求音は、暗号通信を希望していることを受信側電話機２Ｂに知らせる音声信号である。この暗号通信要求音の周波数は単一周波数の音が例示できるが、当該単一周波数に限定するものではない。暗号通信要求音に対する条件は、この暗号通信要求音を聞いた受信側電話機２Ｂのユーザが不快に感じたりせず、かつ、確実に認識できる音であればよい。
【００３６】
このような音として、例えば、ＤＴＭＦ（Ｄｕａｌ−Ｔｏｎｅ  Ｍｕｌｔｉ−Ｆｒｅｑｕｅｎｃｙ）信号音が例示できる。また、単一音でなく、「暗号通信を希望します」「暗号鍵を送信します」等のガイダンス音でもよく、特定のメロディ音や音楽音でもよい。
【００３７】
ステップＳＡ５：  このとき、可聴音検出部１７Ｂは、送信側電話機２Ａからの通信信号に暗号通信要求音が含まれるか否かを監視しており、暗号通信要求音が検出されると、切替信号Ｇ２を暗号処理ユニット１３Ｂに出力する。なお、受信側電話機２Ｂに暗号通信機能が備わっていない場合もある。そこで、処理は、受信側電話機２Ｂに暗号通信機能が備わっていない場合（ステップＳＡ６〜ステップＳＡ７）と、備わっている場合（ステップＳＡ８〜ステップＳＡ１２）とに分れる。
【００３８】
ステップＳＡ６、ＳＡ７：  受信側電話機２Ｂが暗号通信機能を持たない場合には、暗号通信要求音が検出されても暗号通信に応じることができない（このような電話機には暗号モードが備わっていない）。この場合は、処理はステップＳＡ６に進む。なお、このような受信側電話機２Ｂが暗号通信機能を持たない場合であっても、ユーザには暗号通信要求音が聞えるが、当該暗号通信要求音は先に述べたように不快音でないため通話に支障を来すことはない。
【００３９】
暗号通信ができなければ通信をさせない場合は（通常モードでの通話が許可されないシステムの場合）、ステップＳＡ７での通常モード通信はせず、ステップＳＡ１３の回線断へ進む。
【００４０】
ステップＳＡ８、ＳＡ９：  切替信号Ｇ２に基づきスイッチ部２１Ｂは、通信モードを暗号モードに切替え、暗号要求に対する応答信号を出力すると共に、受話器側への音声信号の出力を止める。
【００４１】
ステップＳＡ１０：  受信側電話機２Ｂが暗号通信機能を持つ場合には、既に暗号鍵の共有化が行われているか否かの判断が行われる。このとき、暗号鍵の共有化が既に行われている場合には、ステップＳＡ１２に進む。ユーザはファンクションキー等を操作して暗号化要求Ｇ１を暗号処理ユニット１３Ｂに出力する必要はないが、暗号処理ユニット１３Ｂには切替信号Ｇ２が入力している。そこで、切替信号Ｇ２に基づきスイッチ部２１Ｂは、通信モードを暗号モードに切替える。
【００４２】
ステップＳＡ１１：  暗号鍵の共有化が既に行われていない場合、相手側電話機との暗号鍵の共有処理を実施し、暗号通信のための鍵を共有する。なお、暗号鍵は単一のデータを送信するだけではなく、ＤＨ（Ｄｉｆｆｉｅ−Ｈｅｌｌｍａｎ）鍵交換方法等に従い共有の処理を行うことも可能である。
【００４３】
ステップＳＡ１２：  そして、送信側電話機２Ａ及び受信側電話機２Ｂは、新たに共有化した暗号鍵又は既に共有化している暗号鍵を用いて通信信号の暗号化・復号化を行う。これにより、暗号通信が可能になり、受話器へは暗号通信を復号した音声信号の出力が開始される。
【００４４】
ステップＳＡ１３、ＳＡ１４：  通常通信及び暗号通信が終了すると、回線断が行われる。その後、暗号通信を行った場合は、送信側電話機２Ａ及び受信側電話機２Ｂは、通信モードを通常モードに戻す。
【００４５】
このように暗号鍵がサーバを経由せずに共有化できるので、ファイヤウォール等が設置されてＩＰ電話機同士でのＦＴＰ（Ｆｉｌｅ  Ｔｒａｎｓｆｅｒ  Ｐｒｏｔｏｃｏｌ）通信等が制限されている場合においても、セキュリティホールを作ることなく暗号通信が行えるようになる。
【００４６】
また、受信側電話機からの暗号通信の了解（受信側電話機からの暗号通信要求音に対する応答）が得られない場合には識別情報や暗号鍵情報を出力しないので、暗号通信機能を持たない受信側電話機のユーザは、当該暗号鍵情報による音を聞くことがない。即ち、暗号鍵情報による音がノイズとなることはない。
【００４７】
上記説明では、暗号鍵を通信回線にて共有することを前提としたが、予め鍵情報を設定しておく、あるいは、通信回線とは異なる手段にて設定する場合には、図３のフローチャートに示す手順に従う。この場合ステップＳＢ１〜ＳＢ７までは、図２のステップＳＡ〜ＳＡ７と同じで処理であるので、説明を省略する。
【００４８】
ステップＳＢ８：暗号通信機能を持つ場合、暗号鍵が設定されているか否か判定が行われる。暗号鍵が予め設定、あるいは別の異なる手段で設定されている場合は、ステップ９に進む。暗号通信機能を持つが、暗号鍵がない場合には、暗号通信ができないので、ステップＳＢ７に進む。
【００４９】
ステップＳＢ９、ＳＢ１０：暗号通信機能を有し、暗号鍵を有する場合、暗号通信が可能なので、暗号通信要求に対する応答信号を送出し、暗号通信モードに切り替える。
【００５０】
ステップＳＢ１１：そして、電話機２Ａ及び電話機２Ｂは、設定されている暗号鍵を用いて通信信号の暗号化・復号化を行う。これにより、暗号通信が可能になる。この時、受話器へは暗号通信を復号した音声信号の出力を開始する。
【００５１】
ステップＳＢ１２、ＳＢ１３：  通常通信及び暗号通信が終了すると、回線断が行われる。その後、暗号通信を行った場合は、電話機２Ａ及び電話機２Ｂは、通信モードを通常モードに戻す。さらに、本発明は暗号通信の方式によらないため、暗号鍵の設定が事前設定でもなく、鍵共有方式でもない場合のフローチャートを図４に示す。
【００５２】
ステップＳＣ１〜ＳＣ４までは、図２のステップＳＡ１〜ＳＡ４、図３のステップＳＢ１〜ＳＢ４と同じであるので説明を省略する。
【００５３】
ステップＳＣ５：暗号鍵を初めとする暗号通信に必要な条件を満たしているかを判定する。なお、暗号通信要求音を送出した側では、暗号通信できる条件を満足していることを前提とする。
【００５４】
ステップＳＣ６、ＳＣ７：暗号通信ができる条件を満たさない場合は、通常モード通信での通信が行われる。なお、通常モード通信をさせない場合には、通常モードの通信をせずに、ステップＳＣ１１の回線断へと進む。
【００５５】
ステップＳＣ８〜ＳＣ１０：暗号通信をするための条件を満す場合は、暗号通信要求音に対する応答信号を送出し、暗号通信モードに切り替える。暗号通信モードでは、暗号通信を復号化した音声信号を受話器へ送出することで、通信ができる。
【００５６】
ステップＳＣ１１、ＳＣ１２：  通常通信及び暗号通信が終了すると、回線断が行われる。その後、暗号通信を行った場合は、電話機２Ａ及び電話機２Ｂは、通信モードを通常モードに戻す。
【００５７】
なお、上記の図２、図３の説明では、送信側電話機は、回線が確立されると通信モードの切替を行ったが、通常通信により暗号通信を行うことを了解し合った後で、暗号モードに移行するようにしても良い。
【産業上の利用可能性】
【００５８】
本発明は、ＩＰ電話システムにおいて、暗号通信を実施するシステムに適用可能である。また、音声ばかりでなく映像等を含む情報を送受信する通信装置にも適用可能である。
【符号の説明】
【００５９】
２Ａ    送信側電話機（ＩＰ電話機）
２Ｂ    受信側電話機（ＩＰ電話機）
１１（１１Ａ、１１Ｂ）    受話器
１２    デジタルアナログ変換器
１３（１３Ａ、１３Ｂ）    暗号処理ユニット
１６（１６Ａ，１６Ｂ）    可聴音送出部
１７（１７Ｂ，１７Ｂ）    可聴音検出部
２０    ネットワーク
２１（２１Ａ，２１Ｂ）    スイッチ部
２２（２２ａ，２２Ｂ）２２Ｂ    暗号応答部
２３（２３Ａ，２３Ｂ）    暗号鍵送受信部
２４（２４Ａ，２４Ｂ）    暗号処理部
【図１】
2014165795.tif 000003
【図２】
2014165795.tif 000004
【図３】
2014165795.tif 000005
【図４】
2014165795.tif 000006